(57)【要約】【課題】遊技機において、照明手段によるデザインの斬新性および遊技者に対する視覚的効果向上を図る。【解決手段】本体部Ｓ１および本体部Ｓ１に対して開閉可能に取り付けられた前面扉Ｓ２を備えた筐体と、スピーカカバー３６で被われて筐体に取り付けられ、ゲームの状況に応じた効果音を出力するスピーカ３３，３４と、スピーカ３３，３４に向けて光を照射してスピーカカバー３６を照明する照明手段３５とを有する構成とする。【選択図】      図１
2004350920.tif 000002
【特許請求の範囲】
【請求項１】
箱体および当該箱体に対して開閉可能に取り付けられた前面扉を備えた筐体と、
光透過性部材を備えて前記筐体に取り付けられ、ゲームの状況に応じた効果音を出力するスピーカと、
前記スピーカに備えられた前記光透過性部材に向けて光を照射する照明手段とを有することを特徴とする遊技機。
【請求項２】
前記照明手段は前記スピーカ以外の部材にも光を照射することを特徴とすることを特徴とする請求項１に記載の遊技機。
【請求項３】
所定のデザインがあしらわれた腰部パネルが前記前面扉に設置されて前記スピーカは当該腰部パネルに隣接した位置に配置され、
前記照明手段は前記腰部パネルの背後に設置されてこの腰部パネルを照射するとともに前記腰部パネルのスピーカ隣接部から透過する光で前記スピーカを照射することを特徴とする請求項２に記載の遊技機。
【請求項４】
前記照明手段は前記スピーカのみに向けて光を照射することを特徴とする請求項１に記載の遊技機。
【請求項５】
前記スピーカに備えられた前記光透過性部材は、当該スピーカを被うスピーカカバーであることを特徴とする請求項１〜４の何れか一項に記載の遊技機。
【請求項６】
前記照明手段の前記スピーカに対する照射パターンはゲームの状況と連動して変化することを特徴とする請求項１〜５の何れか一項に記載の遊技機。
【発明の詳細な説明】
【０００１】
【発明の属する技術分野】
本発明は、遊技メダルや遊技球などの遊技媒体を用いて遊技を行う遊技機に関するものである。
【０００２】
【従来の技術】
近年において、たとえば遊技メダルや遊技球などの遊技媒体で遊技を行うパチスロ機やパチンコ機などの遊技機では、冷陰極管や蛍光管などの照明手段が用いられている。
【０００３】
たとえば特開平１１−１７８９８０号公報には、パチスロ機において腰部パネル内に設けられた照明手段で下皿を照射することにより、遊技媒体の受け皿を十分に照明して、受け皿に貯まった遊技媒体の視認性および遊技媒体払い出し時の演出効果を向上させる技術が開示されている。
【０００４】
【特許文献１】
特開平１１−１７８９８０号公報
【０００５】
【発明が解決しようとする課題】
しかしながら、従来の技術では、照明手段による照射対象は、たとえば腰部パネルなど当該照明手段を内蔵した部材や遊技媒体にとどまっていることから、デザイン性や視覚的効果向上には、より一層の配慮が求められている。
【０００６】
そこで、本発明は、照明手段によるデザインの斬新性および遊技者に対する視覚的効果向上を図り、遊技者の興趣を一層高めることのできる遊技機を提供することを目的とする。
【０００７】
【課題を解決するための手段】
上記課題を解決するため、本発明に係る遊技機は、箱体および当該箱体に対して開閉可能に取り付けられた前面扉を備えた筐体と、光透過性部材を備えて前記筐体に取り付けられ、ゲームの状況に応じた効果音を出力するスピーカと、前記スピーカに備えられた前記光透過性部材に向けて光を照射する照明手段とを有することを特徴とする。
【０００８】
このような発明によれば、照明手段によりスピーカに設けられた光透過性部材が照射されて光透過性部材とスピーカとが美しく浮かび上がるので、照明手段によるデザインの斬新性および遊技者に対する視覚的効果向上を図り、遊技者の興趣を一層高めることが可能になる。
【０００９】
本発明の好ましい形態において、前記照明手段は前記スピーカ以外の部材にも光を照射する。
【００１０】
このように既にある照明手段を利用することにより、コストダウンを図ることが可能になる。
【００１１】
本発明のさらに好ましい形態において、所定のデザインがあしらわれた腰部パネルが前記前面扉に設置されて前記スピーカは当該腰部パネルに隣接した位置に配置され、前記照明手段は前記腰部パネルの背後に設置されてこの腰部パネルを照射するとともに前記腰部パネルのスピーカ隣接部から透過する光で前記スピーカを照射する。
【００１２】
このように既にある照明手段を利用することにより、コストダウンを図ることが可能になる。
【００１３】
本発明の好ましい形態において、前記照明手段は前記スピーカのみに向けて光を照射する。
【００１４】
このように専用の照明手段を備えることで、十分な光量を確保することが可能になる。
【００１５】
本発明のさらに好ましい形態において、前記スピーカに備えられた前記光透過性部材は、当該スピーカを被うスピーカカバーである。
【００１６】
これにより、スピーカ部で最も遊技者に近い部分を光透過性部材とすることで遊技者に対する視覚的効果を一層向上させることが可能になる。
【００１７】
本発明のさらに好ましい形態において、前記照明手段の前記スピーカに対する照射パターンはゲームの状況と連動して変化する。
【００１８】
これにより演出効果が増し、遊技者の興趣をより一層高めることが可能になる。
【００１９】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００２０】
図１は本発明の一実施の形態である遊技機としてのパチスロ機を示す斜視図、図２は図１のパチスロ機に取り付けられたスピーカを示す分解斜視図、図３は図１のパチスロ機に設けられた腰部パネルを示す斜視図、図４は図３の腰部パネルに内蔵された照明手段の一例を示す斜視図、図５は図３の腰部パネルに内蔵された照明手段の他の一例を示す斜視図である。
【００２１】
図１に示すように、遊技機の一種であるパチスロ機１は、本体部（箱体）Ｓ１と、この本体部Ｓ１に対して開閉可能に取り付けられた前面扉Ｓ２とからなる筐体を有している。
【００２２】
このようなパチスロ機は、その中央部には、可変表示部を構成する３個のリール２、３、４が回転自在に設けられ、その前面に表示窓５、６、７が設けられている。各リール２、３、４の外周面には複数種類の図柄から成る図柄列が描かれ、これら図柄は表示窓５、６、７を通して観察されるようになっている。これら表示窓５、６、７には、横３本と斜め２本の計５本の入賞ラインが設けられている。また、表示窓５〜７の下方右側には、遊技者がメダルを入れるためのメダル投入口８が配置されている。
【００２３】
また、表示窓５〜７の左方には、上部から、４個の遊技状態表示ランプ（ＢＢ遊技状態ランプ、ＲＢ遊技状態ランプ、再遊技表示ランプ、遊技停止表示ランプ）９、メダル投入枚数に応じて点灯制御される３個の賭数表示ランプ１０、クレジットされているメダル数を表示するクレジット表示部１１、および後述するスタートレバー２５の操作の受け付けが有効な時に点滅するスタートランプ１２が設けられている。
【００２４】
また、表示窓５〜７の右方には、上部から、ボーナスゲーム入賞時に残り入賞可能回数を表示するボーナスカウント表示部１３、ビッグボーナス（以下、「ＢＢ」という。）またはレギュラーボーナス（以下、「ＲＢ」という。）が内部当選した場合およびこれらに入賞した場合に点灯するＷＩＮランプ１４、入賞メダル払い出し枚数を表示する配当枚数表示部１５、およびメダル投入口８にメダルの投入が可能な時に点灯するインサートランプ１６が設けられている。
【００２５】
表示窓５〜７の直ぐ下方には、遊技のデモンストレーシヨン画面やゲームに応じた演出画像が表示される液晶などの画像表示装置１７が設けられている。
【００２６】
この画像表示装置１７の左側には、画像表示装置１７に表示する情報を選択する際に使用される十字キー１８、Ａボタン１９、Ｂボタン２０、およびクレジットされているメダルからその賭け枚数を指定（１、２または３枚）する１ＢＥＴスイッチ２１、２ＢＥＴスイッチ２２、最大ＢＥＴスイッチ２３が設けられている。
【００２７】
また、画像表示装置１７の下方には、左から、クレジットされているメダルの精算に使用されるクレジットメダル精算スイッチ２４、リール２〜４を一斉に回転させるスタートレバー２５、および回転しているリール２〜４を個別に停止させる停止ボタン２６、２７、２８が設けられている。
【００２８】
また、パチスロ機１の正面下部には、メダル払出口３０から払い出されるメダルが貯留されるメダル受皿２９が設けられ、パチスロ機１の正面上部には、入賞に対して払い出されるメダルの枚数を表示する配当表示部３１が設けられている。
【００２９】
そして、停止ボタン２６〜２８とメダル受皿２９とに上下を挟まれた位置には、機種のモチーフに対応したデザインがあしらわれた半透明のプラスチック板である腰部パネル３２が取り付けられている。
【００３０】
腰部パネル３２の背後には、腰部パネル３２を背面から照射してパネルデザインを際立たせ、装飾効果を上げるための照明手段３５が設置されている。また、腰部パネル３２に隣接した位置、図示する場合には腰部パネル３２の下部の左右には、ゲームの状況に応じた効果音を出力するスピーカ３３，３４が１つずつ配置されている。したがって、腰部パネル３２のスピーカ３３，３４との隣接部は、円形のスピーカ形状に沿って切り欠かれた形状になっている。なお、腰部パネル３２に隣接した位置に配置されるスピーカは２つでなくてもよく、１つでも３つ以上でもよい。
【００３１】
図２に示すように、このスピーカ３３，３４は、（透過する光を拡散させる光拡散加工（例えば光を拡散させる部材を混入したりブラスト加工を施すなど）が施された透明あるいは半透明で光透過性を有する）たとえば樹脂製のスピーカカバー（光透過性部材）３６で被われている。そして、スピーカカバー３６が取り付けられた状態で、スピーカ３３，３４の最前部と腰部パネル３２とはほぼ同一面上になっている。
【００３２】
図３に示すように、腰部パネル３２は、プラスチック板であるパネル部３２ａと、このパネル部３２ａを保持するたとえば金属製のフレーム部３２ｂとから構成されており、フレーム部３２ｂのスピーカ３３，３４に面した位置には透明あるいは半透明の透過板３２ｂ−１，３２ｂ−２が、メダル受皿２９に面した位置には同じく透明な透過板３２ｂ−３が設けられている。したがって、腰部パネル３２内の照明手段３５が発光した光は３カ所の透過板３２ｂ−１〜３２ｂ−３から腰部パネル３２の側方より外部に漏出する。これにより、透過板３２ｂ−１，３２ｂ−２から漏出した光によりスピーカ３３，３４が照射され、透過板３２ｂ−３から漏出した光によりメダル受皿２９が照射される。なお、透過板３２ｂ−１，３２ｂ−２，３２ｂ−３に代えて、この部分に孔を形成して光が透過するようにしてもよい。
【００３３】
図４に示すように、照明手段３５は、上方に配置された横方向に延びる冷陰極管４０と、冷陰極管４０の下側に位置して冷陰極管４０からの光が導入される導光板４１とを備えている。導光板４１の背後には、導光板４１の背面から抜けた光を前方に反射する反射シート４２が設けられ、導光板４１の前方は、導光板４１からの光を拡散して腰部パネル３２の広い面積を照射する拡散シート４３が設けられている。なお、冷陰極管は複数本設けてもよい。また、照明手段３５としては、このような面発光構造にするのではなく単に冷陰極管のみを用いてもよく、図５に示す蛍光管を用いてもよい。さらに、反射シート４２の代わりに、腰部パネル３２の内壁に位置する部材を白色で構成し、これで光を反射するようにしてもよい。
【００３４】
前述のようにスピーカ３３，３４はスピーカカバー３６で被われていることから、腰部パネル３２の背後に位置する照明手段３５からスピーカ３３，３４に向けて照射された光により光透過性のスピーカカバー３６およびスピーカ３３，３４が美しく浮かび上がる。これにより、照明手段３５によるデザインの斬新性および遊技者に対する視覚的効果向上が図られ、遊技者の興趣を一層高めることが可能になる。
【００３５】
なお、本実施の形態であるパチスロ機１が設置されるホールは、一般に照明がやや落とされて薄暗いので、照明されるスピーカカバー３６およびスピーカ３３，３４が一層引き立ち、デザイン性および視覚的効果がより向上する。
【００３６】
ここで、照明手段３５のスピーカに対する照射パターンをゲームの状況（たとえばＢＢ入賞時やＲＢ入賞時）と連動して変化させるようにしてもよい。このようにすれば、演出効果が増し、遊技者の興趣をより一層高めることができる。
【００３７】
また、照明手段３５は腰部パネル３２、スピーカ３３，３４およびメダル受皿２９を照射している。つまり照明手段３５はスピーカ３３，３４以外の部材にも光を照射するようにしてスピーカ３３，３４をも照射する手段にしている。よって、スピーカ３３，３４を照射する照明手段を設ける必要がないため、コストダウンを図ることができる。なお、スピーカ３３，３４を照明するために十分な光量を確保するために、スピーカのみに向けて光を照射する専用の照明手段を設けてもよい。
【００３８】
そして、スピーカカバー３６というスピーカ部で最も遊技者に近い部分を光透過性部材としてこれを照明しているので、遊技者に対する視覚的効果を一層向上させることができる。但し、スピーカ３３，３４に備えられた光透過性部材はスピーカカバー３６に限定されるものではなく、たとえばスピーカ３３，３４を構成する部材そのものを光透過性のあるものとしてもよい。
【００３９】
なお、本実施の形態ではスピーカ３３，３４が腰部パネル３２に隣接して設けられ、腰部パネル３２の背後に設置された照明手段３５でスピーカ３３，３４を照明しているが、スピーカの位置は腰部パネル付近には限定されない。たとえば、筐体の上部にスピーカを備え、これを枠ランプなどの照明手段で照射してもよい。
【００４０】
そして、以上の説明においては、本発明を遊技機の一つであるパチスロ機１に適用した場合が説明されているが、本発明はこれに限定されるものではなく、パチンコ機、スロットマシンあるいはゲームセンターに設置された各種ゲーム機など、筐体にスピーカが設けられた種々の遊技機に適用することが可能である。
【００４１】
【発明の効果】
以上の説明から明らかなように、本発明によれば以下の効果を奏することができる。
【００４２】
すなわち、照明手段によりスピーカに設けられた光透過性部材が照射されることにより、当該光透過性部材とスピーカとが美しく浮かび上がるので、照明手段によるデザインの斬新性および遊技者に対する視覚的効果向上を図り、遊技者の興趣を一層高めることが可能になる。
【図面の簡単な説明】
【図１】本発明の一実施の形態である遊技機としてのパチスロ機を示す斜視図である。
【図２】図１のパチスロ機に取り付けられたスピーカを示す分解斜視図である。
【図３】図１のパチスロ機に設けられた腰部パネルを示す斜視図である。
【図４】図３の腰部パネルに内蔵された照明手段の一例を示す斜視図である。
【図５】図３の腰部パネルに内蔵された照明手段の他の一例を示す斜視図である。
【符号の説明】
１  パチスロ機（遊技機）
３２  腰部パネル
３３，３４  スピーカ
３５  照明手段
３６  スピーカカバー（光透過性部材）
Ｓ１  本体部（箱体）
Ｓ２  前面扉
【図１】
2004350920.tif 000003
【図２】
2004350920.tif 000004
【図３】
2004350920.tif 000005
【図４】
2004350920.tif 000006
【図５】
2004350920.tif 000007